(57)【要約】【課題】  ウェットティッシュを容易且つ安定的に取り出すことができるウェットティッシュ容器を提供する。【解決手段】  取出口５０を有する容器本体と、取出口５０を開閉する蓋体とを備えるウェットティッシュ容器であって、取出口５０には、開口縁から内方に突出する一対の第１フラップ５１ａ，５１ｂおよび一対の第２フラップ５２ａ，５２ｂが設けられ、前記一対の第１フラップおよび一対の第２フラップは、取出口５０の中心線Ｃの両側において互いに対向するように配置されて、それぞれの先端部の間にウェットティッシュが通過する隙間が形成されており、一対の第１フラップの先端部５３ａ，５３ｂに対して一対の第２フラップの先端部５４ａ，５４ｂが下方に位置するように、一対の第２フラップ５２ａ，５２ｂに折曲部５５ａ，５５ｂが形成されている。【選択図】  図６
2016094241.tif 000002
【特許請求の範囲】
【請求項１】
取出口を有する容器本体と、前記取出口を開閉する蓋体とを備えるウェットティッシュ容器であって、
前記取出口には、開口縁から内方に突出する一対の第１フラップおよび一対の第２フラップが設けられ、
前記一対の第１フラップおよび一対の第２フラップは、前記取出口の中心線の両側において互いに対向するように配置されて、それぞれの先端部の間にウェットティッシュが通過する隙間が形成されており、
前記一対の第１フラップの先端部に対して前記一対の第２フラップの先端部が下方に位置するように、前記一対の第２フラップに折曲部が形成されたウェットティッシュ容器。
【請求項２】
前記第２フラップにおける前記折曲部の先端側上面が、前記取出口の中心側を向くように、前記第２フラップの延出方向に対して前記折曲部が平面視において傾斜する請求項１に記載のウェットティッシュ容器。
【請求項３】
前記折曲部の先端側上面は、平坦なガイド面である請求項２に記載のウェットティッシュ容器。
【請求項４】
前記蓋体は、前記容器本体に回動部を介して回動自在に支持されており、
前記一対の第２フラップは、前記一対の第１フラップを挟んで前記回動部と反対側に配置されている請求項１から３のいずれかに記載のウェットティッシュ容器。
【発明の詳細な説明】
【技術分野】
【０００１】
本発明は、ウェットティッシュを収納するウェットティッシュ容器に関する。
【背景技術】
【０００２】
ウェットティッシュ容器は、複数のウェットティッシュを折り重ねながら積層してなる積層体の包装体を収容することができ、取出口からウェットティッシュを１枚ずつ取り出して使用することができる。積層されたウェットティッシュが取出口を通過する際に確実に分離されるように、取出口にフラップ（突片）を設けた構成が従来から知られている。例えば、特許文献１には、取出口の一方の側縁から突出する一対の第１突片と、取出口の他方の側縁から突出する一対の第２突片とを備え、対向する第１の突片と第２の突片との間にウェットティッシュの挟持部を形成したウェットティッシュ容器が開示されている。
【先行技術文献】
【特許文献】
【０００３】
【特許文献１】特開平８−８０９８０号公報
【発明の概要】
【発明が解決しようとする課題】
【０００４】
ところが、上記従来のウェットティッシュ容器は、取出口からウェットティッシュを取り出す際に、ウェットティッシュを引き上げる方向によっては挟持部での引っ掛かりが大きくなり過ぎて、ウェットティッシュのスムーズな取り出しが困難になるおそれがあった。一方、挟持部の間隔を広くすると、ウェットティッシュに作用する抵抗が小さくなるため、積層されたウェットティッシュを分離できないおそれがあった。
【０００５】
そこで、本発明は、ウェットティッシュを容易且つ安定的に取り出すことができるウェットティッシュ容器の提供を目的とする。
【課題を解決するための手段】
【０００６】
本発明の前記目的は、取出口を有する容器本体と、前記取出口を開閉する蓋体とを備えるウェットティッシュ容器であって、前記取出口には、開口縁から内方に突出する一対の第１フラップおよび一対の第２フラップが設けられ、前記一対の第１フラップおよび一対の第２フラップは、前記取出口の中心線の両側において互いに対向するように配置されて、それぞれの先端部の間にウェットティッシュが通過する隙間が形成されており、前記一対の第１フラップの先端部に対して前記一対の第２フラップの先端部が下方に位置するように、前記一対の第２フラップに折曲部が形成されたウェットティッシュ容器により達成される。
【０００７】
このウェットティッシュ容器は、前記第２フラップにおける前記折曲部の先端側上面が、前記取出口の中心側を向くように、前記第２フラップの延出方向に対して前記折曲部が平面視において傾斜することが好ましい。更に、前記折曲部の先端側上面は、平坦なガイド面であることが好ましい。
【０００８】
また、前記蓋体が、前記容器本体に回動部を介して回動自在に支持される構成において、前記一対の第２フラップは、前記一対の第１フラップを挟んで前記回動部と反対側に配置されていることが好ましい。
【発明の効果】
【０００９】
本発明によれば、ウェットティッシュを容易且つ安定的に取り出すことができるウェットティッシュ容器を提供することができる。
【図面の簡単な説明】
【００１０】
【図１】本発明の一実施形態に係るウェットティッシュ容器の平面図である。
【図２】前記ウェットティッシュ容器の正面図である。
【図３】前記ウェットティッシュ容器の蓋体を開いた状態を示す平面図である。
【図４】前記ウェットティッシュ容器の蓋体を開いた状態を示す正面図である。
【図５】図１のＡ−Ａ断面に相当する要部拡大図である。
【図６】前記ウェットティッシュ容器の取出口の拡大平面図である。
【図７】前記ウェットティッシュ容器の取出口の断面図である。
【発明を実施するための形態】
【００１１】
以下、本発明の実施の形態について、添付図面を参照して説明する。図１は、本発明の一実施形態に係るウェットティッシュ容器の平面図であり、図２は、その正面図である。図１及び図２に示すように、ウェットティッシュ容器１は、例えば合成樹脂からなり、筐体状の容器本体１０と、容器本体１０の上部に設けられた蓋体２０および操作部材３０とを備えている。
【００１２】
容器本体１０は、平面視矩形状に形成され、底部に底板１２が設けられている。底板１２の角部には外方に突出する耳部１２ａが設けられており、耳部１２ａを把持して底板１２を容器本体１０に着脱することができる。容器本体１０は、底板１２から上板１１に向けて僅かに先細になるように、側壁がテーパ状に形成されており、内部にウェットティッシュの包装体１００が収容される。包装体１００は、薬液を含浸させた不織布等からなるウェットティッシュの積層体が収納された公知のものを使用することができる。各ウェットティッシュは、上下で一部が重なり合いながら折り畳まれており、包装体１００の上部開口から取り出すことができる。
【００１３】
容器本体１０の上板１１の中央には溝部１４が形成されており、溝部１４の内部に、蓋体２０および操作部材３０が上面面一となるように収容されている。蓋体２０および操作部材３０は、両側に回動部となる支軸突起２１，２１；３１ａ，３１ｂがそれぞれ設けられている。支軸突起２１，２１；３１ａ，３１ｂは、図５（ａ）に示すように、溝部１４の側壁孔部１２１，１３１と係合しており、容器本体１０に対して回動自在に支持されている。溝部１４の一端側には、溝部１４の底部を更に深く落とし込むように形成された切欠状の段部１５が形成されており、操作部材３０は、この段部１５において対向する側壁の間に支持されている。なお、図５は、図１のＡ−Ａ断面図であり、要部のみを拡大して示している。
【００１４】
図２に示すように、操作部材３０が備える一方の支軸突起３１ａは、他方の支軸突起３１ｂよりも長くなるように形成されており、組立時において、長い方の支軸突起３１ａを先に側壁孔部に挿入することで、支軸突起３１ａ，３１ｂの破損を防止することができる。また、容器本体１０に形成された段部１５は、図２に示す正面視において、上板１１から底板１２に向けて幅狭となるようにテーパ状に形成されており、底板１２側の幅狭の部分が操作部材３０を挟持可能な保持部１９とされている。
【００１５】
図３は、本実施形態のウェットティッシュ容器１の蓋体２０を開いた状態を示す平面図であり、図４は、その正面図である。図３および図４に示すように、容器本体１０の溝部１４の中央には楕円状の凹陥部１６が形成されており、収容したウェットティッシュを取り出すための取出口５０が凹陥部１６に形成されている。取出口５０には、楕円状の開口縁から内方に突出する一対の第１フラップ５１ａ，５１ｂおよび一対の第２フラップ５２ａ，５２ｂが設けられている。一対の第１フラップ５１ａ，５１ｂおよび一対の第２フラップ５２ａ，５２ｂは、取出口５０の短軸方向に延びる中心線Ｃの両側において互いに対向するように配置されており、それぞれの先端部の間（すなわち、一方の第１フラップ５１ａと一方の第２フラップ５２ａとの間、および、他方の第１フラップ５１ｂと他方の第２フラップ５２ｂとの間）には、ウェットティッシュが通過可能な隙間が形成されている。一対の第２フラップ５２ａ，５２ｂは、一対の第１フラップ５１ａ，５１ｂを挟んで、蓋体２０の回動部と反対側に配置されており、先端側が斜め下方を向くように折曲部５５ａ，５５ｂが形成されている。
【００１６】
蓋体２０は、回動部を構成する支軸突起２１，２１が設けられた基部とは反対側の先端部に、係止突起２２，２２が設けられており、係止突起２２，２２の両側に係止溝２４，２４が形成されている。また、蓋体２０の裏面側には、蓋体２０を閉じたときに容器本体１０の凹陥部１６に挿入される挿入筒２６が設けられており、容器本体１０を密閉してウェットティッシュの含浸液の揮散を防止することができる。
【００１７】
蓋体２０の基部と容器本体１０との間には、蓋体２０を開放方向に付勢する弾性体３０が設けられている。弾性体３０は、細長状に形成されたシリコーンゴムなどからなるゴム板であり、一端側が容器本体１０に取り付けられ、他端側が押さえ部材４２により蓋体２０の裏面側に固定されている。弾性体３０は、蓋体２０を閉じたときに折り畳まれて容器本体１０の溝部１４に形成された収容部１７に収容されることにより、無理な力が作用することによる弾性体３０の劣化を防止することができ、付勢力を長時間良好に維持することができる。容器本体１０の溝部１４には、突状のストッパ１８が設けられており、蓋体２０の起立状態で蓋体２０の基部にストッパ１８が係合することで蓋体２０が過度に開くおそれがなく、支軸突起２１，２１等の破損を防止することができる（図５（ａ）参照）。
【００１８】
操作部材３０は、蓋体２０の回動面に沿って回動するように蓋体２０に隣接して配置されており、蓋体２０と対向する側に係合部３２，３２および押上部３４,３４を備えている。係合部３２，３２および押上部３４，３４は、いずれも蓋体２０に向けて突出する突片から構成されており、それぞれ蓋体２０の係止突起２２，２２および係止溝２４，２４に係合するように配置されている。操作部材３０の支軸突起３１ａ，３１ｂは、蓋体２０と対向する側に設けられており、支軸突起３１ａ，３１ｂと反対側の縁部が、操作部材３０の回動操作を行う押圧部３８とされている。また、操作部材３０は、図５に示すように、回動時に段部１５と係合して操作部材３０の回動範囲を規制する回動規制片３９を備えている。
【００１９】
上記の構成を備えるウェットティッシュ容器１は、図４に示すように蓋体２０が開放された状態において、操作部材３０は押圧部３８が押し下げられて、保持部１９に保持される。このように操作部材３０が開放位置にある状態で、図５（ａ）に示すように蓋体２０を矢示方向に回動させると、蓋体２０の係止溝２４が操作部材３０の押上部３４と係合し、開放位置にあった操作部材３０が、図５（ｂ）に示すように閉止位置まで回動する。また、蓋体２０の係止突起２２は、操作部材３０の係合部３２と係合し、両者の弾性変形により係止突起２２が係合部３２を乗り越えて、蓋体２が閉じられる。
【００２０】
弾性体４０は、図５（ａ）に示すように、一端側が収容部１７内の挟持部に取り付けられ、他端側に押さえ部材４２のパイプ部４２ａが貫通して固定されている。この状態から蓋体２０を閉じると、図５（ｂ）に示すように、弾性体４０が、弾性変形により折り畳まれた状態で収容部１７に収容される。この状態から操作部材３０の押圧部３８を押し下げると、押上部３４が蓋体２０の係止溝２４を押し上げて、係止突起２２と係合部３２との係合を解除する。この結果、弾性体４０の伸びによって蓋体２０が開放され、操作部材３０は開放位置に保持される。
【００２１】
図６は、ウェットティッシュ容器１の取出口５０の拡大平面図である。一対の第１フラップ５１ａ，５１ｂは、中心線Ｃに対して線対称となるように形成されており、一対の第２フラップ５２ａ，５２ｂについても同様である。一対の第１フラップ５１ａ，５１ｂは、それぞれの延出方向（図６に示す取出口５０の中心線Ｃと同じ方向）に対して、先端部５３ａ，５３ｂが直線状に傾斜している。また、一対の第２フラップ５２ａ，５２ｂは、一対の第１フラップ５１ａ，５１ｂの先端部５３ａ，５３ｂと略平行な先端部５４ａ，５４ｂを有している。それぞれの先端部の間（すなわち、先端部５３ａと先端部５４ａとの間、および、先端部５３ｂと先端部５４ｂとの間）に形成される隙間の平面視における幅Ｗ１は、ウェットティッシュが先端部との間で摩擦を生じながら通過可能な程度であることが好ましく、例えば、１〜２ｍｍ程度である。
【００２２】
図７は、図６に示す取出口５０を中心線Ｃで切断した断面図である。図６および図７に示すように、第１フラップ５１ｂは、取出口５０の開口面に沿って水平方向に延出しており、先端部５３ｂは取出口５０の開口面と略同じ高さに配置されている。これに対し、第２フラップ５２ｂは、基端側が取出口５０の開口面に沿って延びる一方、先端側が折曲部５５ｂにおいて折り曲げられて容器本体１０の内部に向かう方向に傾斜しており、先端部５４ｂは、第１フラップ５１ｂの先端部５３ｂよりも下方の容器本体１０内に配置される。第２フラップ５２ｂにおける折曲部５５ｂよりも先端側の上面は、平坦なガイド面５６ｂとされている。折曲部５５ｂは、ガイド面５６ｂが取出口５０の中心Ｏ側を向くように、平面視において、第１フラップ５１ｂの先端部５３ｂと略平行であり、第２フラップ５２ｂの延出方向（図６の中心線Ｃと同じ方向）に対して傾斜している。第１フラップ５１ｂの先端部５３ｂと、第２フラップ５２ｂの先端部５４ｂとの間に形成される隙間は、図７に示すように、ガイド面５６ｂの法線方向の幅Ｗ２についても、上述した平面視における幅Ｗ１と同程度（例えば、１〜２ｍｍ程度）であることが好ましい。
【００２３】
第１フラップ５１ａについても、第１フラップ５１ｂと同様の構成を備えており、折曲部５５ａにおいて折り曲げられることにより、ガイド面５６ａが取出口５０の中心側を向くように傾斜している。
【００２４】
本実施形態のウェットティッシュ容器１は、図６および図７に示すように、一対の第２フラップ５２ａ，５２ｂに折曲部５５ａ，５５ｂが形成されていることにより、第１フラップの先端部５３ａ（，５３ｂ）と第２フラップの先端部５４ａ（，５４ｂ）との間に形成される隙間は、水平方向の幅Ｗ１が確保されるだけでなく、折曲部５５ａ，５５ｂの法線方向の幅Ｗ２も確保される。したがって、ウェットティッシュを取出口５０から取り出す際に、鉛直上方に引き上げるだけでなく、斜め手前（蓋体２０の回動部と反対側）に引き上げた場合でも、第１フラップ５１ａ，５１ｂおよび第２フラップ５２ａ，５２ｂによって適度な摩擦を生じさせながらウェットティッシュをスムーズに引き上げることが可能であり、ウェットティッシュ同士を確実に分離して取り出すことができる。
【００２５】
また、折曲部５５ａ，５５ｂは、ガイド面５６ａ，５６ｂが取出口５０の中心Ｏ側を向くように形成されているので、ウェットティッシュを特に手前側に引き上げる際に、ウェットティッシュをガイド面５６ａ，５６ｂに沿って中央に案内しながら安定して取り出すことができる。
【符号の説明】
【００２６】
１  ウェットティッシュ容器
１０  容器本体
２０  蓋体
３０  操作部材
４０  弾性体
５０  取出口
５１ａ，５１ｂ  第１フラップ
５２ａ，５２ｂ  第２フラップ
５３ａ，５３ｂ  第１フラップの先端部
５４ａ，５４ｂ  第２フラップの先端部
５５ａ，５５ｂ  折曲部
５６ａ，５６ｂ  ガイド面
【図１】
2016094241.tif 000003
【図２】
2016094241.tif 000004
【図３】
2016094241.tif 000005
【図４】
2016094241.tif 000006
【図５】
2016094241.tif 000007
【図６】
2016094241.tif 000008
【図７】
2016094241.tif 000009